(57)【要約】      （修正有）【課題】キャリッジ部上方が開口しない構成においても装置を大型化させることなく記録ヘッドの着脱動作を可能とする機構を設け、装置の小型化および低コスト化に対応するインクジェット記録装置を提供する。【解決手段】キャリッジより延材されたケーブル５の固定部を部品点数が少ない装置前方に設ける。また、装置前方の一部にケーブルの固定部が存在しない開放領域を設け、その開放領域にインクタンク１０と記録ヘッドの交換ポジションを持たせる。加えて、記録ヘッドを固定するレバー７の稼働方向を略装置の前後方向にし、装置前方の開放領域において、ケーブルの固定部と記録ヘッド固定レバーの稼働領域を装置前後方向でオーバーラップさせる。また、インクタンクと記録ヘッドの交換ポジションを互いに異なる位置にし、インクタンク交換ポジションでは、記録ヘッドを物理的に操作することができないようにし、ユーザの誤操作を防止する構成とする。【選択図】図２
2014140987.tif 000002
【特許請求の範囲】
【請求項１】
インクを吐出して記録媒体上に印字を行う記録ヘッド部と、前記記録ヘッド部にインクを供給し、前記記録ヘッド部に対して着脱可能に取り付けられているインクタンクおよび前記記録ヘッドと前記インクタンクを着脱可能に保持したキャリッジを備え、前記キャリッジには、制御用の基盤が取り付けられており、前記インクジェット記録装置本体のメイン基盤と電気的に接続されるように配線が施され、前記キャリッジに接続された配線は、装置前方の面に固定され、前記装置前方の面において、前記配線が存在しない開放領域に前記記録ヘッドを交換する位置と前記インクタンクを交換する位置を持つことを特徴とするインクジェット記録装置。
【請求項２】
前記キャリッジ制御用の基盤と前記インクジェット記録装置本体のメイン基盤を電気的に接続する前記配線がＦＦＣ（Ｆｌｅｘｉｂｌｅ  Ｆｌａｔ  Ｃａｂｌｅ）であることを特徴とする請求項１に記載のインクジェット記録装置。
【請求項３】
前記配線は、前記キャリッジの左右少なくとも一方の側面に固定されており、前記キャリッジ側面の固定部から延材され、前記装置前方の固定部に留められており、前記配線が固定される前記キャリッジの側面は、前記インクタンク交換位置および前記記録ヘッド交換位置において、前記装置前方の配線固定部と近い側の側面になるように設定されていることを特徴とする請求項１又は請求項２に記載のインクジェット記録装置。
【請求項４】
前記装置前方の固定部は、装置の左右方向において、前記メイン基盤と同じ側にあり、前記メイン基盤と前記装置前方の固定部は、前記配線が存在しない開放領域と反対側の領域に存在することを特徴とする請求項１乃至請求項３の何れか１項に記載のインクジェット記録装置。
【請求項５】
前記インクタンク交換位置と前記記録ヘッド交換位置は、装置高さ方向および前記キャリッジの主走査方向で異なり、前記インクタンク交換位置では、前記記録ヘッドの着脱を行う固定部材が外装によって規制され、前記記録ヘッドの固定解除が行えないようになっていることを特徴とする請求項１乃至請求項４の何れか１項に記載のインクジェット記録装置。
【発明の詳細な説明】
【技術分野】
【０００１】
本発明は、記録媒体上にインクを吐出して印字を行う記録ヘッド部と、記録ヘッド部にインクを供給し、着脱可能に取り付けられているインクタンクを備え、前記記録ヘッドとインクタンクを着脱可能に保持したキャリッジ部を備えたインクジェット記録装置に関する。
【背景技術】
【０００２】
インクジェット記録装置の分野では、画質、印刷スピードの向上などに加えて、小型化、ユーザビリティの向上が重要な課題となっている。高画質で高速の印字を行うには、インクを吐出する記録ヘッドにおいて微細なノズルを高密度に配置する必要がある。近年の記録ヘッドの形態の一つとして、パーマネントヘッドと呼ばれる半永久的に使用可能な記録ヘッドをキャリッジに固定して使用するものがあるが、多数の微細なノズルを持つ記録ヘッドは、異物や増粘したインクによる目詰まりなど偶発的な故障が発生する可能性がある。故に、パーマネントヘッドを用いるインクジェット記録装置において記録ヘッドは、特許文献１に示されているように、キャリッジに対して着脱自在に搭載され、交換が可能となっている。また、キャリッジに対する記録ヘッドの固定には、特許文献１に示されているような回動式のレバーが多く用いられている。
【０００３】
装置の小型化を行うには、装置の簡素化や部品点数の削減などに加え、部品の配置や配線類の這い回しも考慮する必要がある。特許文献１に示されているインクジェット記録装置では、キャリッジに接続されたケーブルが装置後方へと配線されている。インクジェット記録装置において、前記記録ヘッドよりも後方の領域には、記録媒体の搬送経路や多数の機構部品が存在することが多く、前記ケーブルを配線するための開放領域が少ない。したがって、装置後方へ配線を行った場合、前記ケーブルを回避するための領域が必要となり、機構部品の配置に制限が加わることで、小型化に対して不利となる場合が多い。一方、記録ヘッドよりも前方の領域は、記録ヘッド部やインクタンクに対する操作を可能とするように、開放領域とされていることが多い。このため、図１に示されているインクジェット記録装置のように、開放領域である装置前方の領域にキャリッジに接続されたケーブルを配線し、機構部品の配置に対する自由度を高めて装置全体の小型化を図っているものもある。
【先行技術文献】
【特許文献】
【０００４】
【特許文献１】特開２００４−９０３４３
【発明の概要】
【発明が解決しようとする課題】
【０００５】
上記従来例に示したインクジェット記録装置では、キャリッジに対する記録ヘッドの固定に回動式のレバーが採用されており、その動作領域を確保するために記録部の上方を開口させる機構が設けられている。開口部の機構を設けることは、装置の大型化や部品点数増加によるコストアップにつながる。したがって、記録ヘッドの固定レバーは、略装置前後方向に稼働し、インクタンクや記録ヘッドの交換といったメンテナンス操作は、略装置前方から行えるのが望ましい。しかしながら、図１に示した装置では、装置前方の領域がキャリッジの配線で覆われているため、このような構成をとることが困難であった。
【０００６】
また、従来例の装置では、インクタンクの交換と記録ヘッドの交換が同一の位置で可能となっているため、インクタンクの交換を実行しようとしたユーザが、誤って記録ヘッドの着脱を行ってしまう事例があった。記録ヘッドは微細なノズルを多数備えており、不用意な着脱は、記録ヘッドを傷つけて偶発的な故障を招くことがある。そのため、インクタンク交換時は、記録ヘッドの着脱ができないようになっていることが望ましい。
【０００７】
本発明は、上記の課題を鑑み、前記記録ヘッドの固定レバーを略装置前後方向に稼働可能とし、かつ、前記メンテナンス操作も略装置前方から行えるようにキャリッジの配線を最適化することで、装置全体の小型化および低コスト化を実現する。さらに、ユーザの記録ヘッド部に対する誤操作を防止する構成を実現する。
【課題を解決するための手段】
【０００８】
上記課題を解決するために、本発明のインクジェット記録装置では、インクを吐出して記録媒体上に印字を行う記録ヘッド部と、前記記録ヘッド部にインクを供給し、前記記録ヘッド部に対して着脱可能に取り付けられているインクタンクおよび前記記録ヘッドと前記インクタンクを着脱可能に保持したキャリッジを備え、前記キャリッジには、制御用の基盤が取り付けられており、前記インクジェット記録装置本体のメイン基盤と電気的に接続されるように配線が施され、前記キャリッジに接続された配線は、装置前方の面に固定され、前記装置前方の面において前記配線が存在しない開放領域に前記記録ヘッドを交換する位置と前記インクタンクを交換する位置を持つ構成となっている。
【０００９】
また、前記キャリッジ制御用の基盤と前記インクジェット記録装置本体のメイン基盤を電気的に接続する配線は、ＦＦＣ（Ｆｌｅｘｉｂｌｅ  Ｆｌａｔ  Ｃａｂｌｅ）によって構成されている。
【００１０】
また、前記配線は、前記キャリッジの左右少なくとも一方の側面に固定されており、前記キャリッジ側面の固定部から延材され、前記装置前方の固定部に留められており、前記配線が固定される前記キャリッジの側面は、前記インクタンク交換位置および前記記録ヘッド交換位置において、前記装置前方の配線固定部と近い側の側面になるように設定されている。
【００１１】
また、前記装置前方の固定部は、装置の左右方向において、前記メイン基盤と同じ側にあり、前記メイン基盤と前記装置前方の固定部は、前記配線が存在しない開放領域と反対側の領域に存在するように構成される。
【００１２】
また、前記インクタンク交換位置と前記記録ヘッド交換位置は、装置高さ方向および前記キャリッジの主走査方向で異なり、前記インクタンク交換位置では、前記記録ヘッドの着脱を行う固定部材が外装によって規制され、前記記録ヘッドの固定解除が行えないような構成となっている。
【発明の効果】
【００１３】
本発明により、キャリッジ部上方を開口する機構を無くし、装置を前後方向に大型化させることなく、装置の前後方向に稼働する記録ヘッドの固定レバーを採用することができる。これにより、装置全体の小型化、低コスト化を図ることができる。また、ユーザのヘッドに対する誤操作を防止することで、記録ヘッドの不用意な着脱により発生する偶発的な故障を防止することができる。
【図面の簡単な説明】
【００１４】
【図１】装置前面に配線を行うインクジェット記録装置の従来の構成を示した模式図
【図２】本発明の実施形態における、インクジェット記録装置の構成を示す模式図
【図３】本発明の実施形態における、キャリッジ部を示した模式図
【図４】本発明の実施形態における、インクジェット記録装置の斜視図
【図５ａ】本発明実施形態におけるインクタンク交換位置および記録ヘッド交換位置の模式図（その１）
【図５ｂ】本発明実施形態におけるインクタンク交換位置および記録ヘッド交換位置の模式図（その２）
【発明を実施するための形態】
【００１５】
以下、図面を参照して本発明の実施形態を説明する。なお、各図面を通して同一符号は同一又は対応部分を示すものである。
【００１６】
図１は、装置前面に配線を行うインクジェット記録装置の従来の構成を示した模式図である。記録部であるキャリッジ部３は、ガイドレール１６に沿って走査を行う。キャリッジ部３には、記録ヘッド（不図示）が、ヘッド固定レバー４によって固定されている。ヘッド固定レバー４は、回転軸４ａを中心に回転し、記録ヘッドの固定および解除を行うようになっている。この構成では、ヘッド固定レバー４の稼働領域の都合上、キャリッジ部３の上方を開口させる必要が生じる。キャリッジ部３には、制御用の基盤が取り付けられており、インクジェット記録装置本体のメイン基盤（不図示）と電気的に接続されるようにケーブルによる配線が施されている。キャリッジとメイン基盤を接続するケーブルは、小型化などの観点からＦＦＣ（Ｆｌｅｘｉｂｌｅ  Ｆｌａｔ  Ｃａｂｌｅ）といわれる薄型でフレキシブルな線材が使用されている。
【００１７】
キャリッジ部３に接続されたケーブル１は、固定部２によって装置前方の領域に固定されており、キャリッジ部３の主走査方向の稼働領域では、ヘッド固定レバー４の前方には、常にケーブル１が存在する。したがって、装置の大きさを維持したまま、前後方向に稼働するヘッド固定レバーを採用することが困難となっていた。
【００１８】
図２は、本発明の実施形態におけるインクジェット記録装置の構成を示す模式図である。キャリッジ部９は、ガイドレール部８に摺動自在に支持され、装置の左右方向を主走査方向として稼働し、記録ヘッド部１１からインクを吐出して印字媒体上に画像を記録する。本発明の構成では、キャリッジ部９に接続されたケーブル５（従来例と同様にＦＦＣ）は、キャリッジ部９の左の側面に固定され、そこから装置前方の左側にあるケーブル固定部６に留められている。これにより、装置前方の右側の領域は、開放領域となる。インクタンク１０の交換および記録ヘッド１１の交換時は、キャリッジ部９をこの開放空間に位置させることで、ヘッド固定レバー７を装置の前後方向に稼働させることが可能となる。さらに、ヘッド固定レバー７を手前に引いた時にヘッド固定レバー７とケーブル固定部６を装置の前後方向でオーバーラップさせるような構成とすることで、装置の前後方向の小型化を図ることができる。
【００１９】
図３に示された記録ヘッド１１は、略装置の前後方向に稼働するヘッド固定レバー７によってキャリッジ部９に固定されている。インクタンク１０は、キャリッジ部９に記録ヘッド１１が装着された状態で、着脱可能に搭載されている。インクタンク１０は、図４に示されたインクジェット記録装置１２の前方から挿入し、インクタンク１０の前方を記録ヘッド１１に引っかけた状態でインクタンク１０の把持部を下方に押し込むことで、インクタンク１０とキャリッジホルダー１３の間でラッチが作動し、固定されるようになっている。
【００２０】
記録ヘッド１１は、下方に画像を形成するためのノズル部（不図示）を持ち、上方にインクタンク装着部を持つ。キャリッジ部９に対する記録ヘッド１１の装着は、図３に示したヘッド固定レバーの操作部７ａを同図内に示した矢印方向に押し込むことで、ヘッド固定部材１４が記録ヘッド１１と接触し、ヘッド固定部材の弾性力によって記録ヘッド１１を固定するための力が作用する。対して、ヘッド固定レバーの操作部７ａを図３の矢印とは反対方向に引くことで、ヘッド固定部材１４がヘッド固定レバーのカム面７ｂに沿って持ち上がり、記録ヘッド１１から離間することで、記録ヘッド１１の取り外しが可能となる。
【００２１】
本発明の構成において、前記インクタンク１０の交換モードおよび記録ヘッド１１の交換モードは、互いに異なるモードとして処理され、それぞれのモードにおいて、キャリッジ部９の停止位置が異なるように制御される。図５ａに示したインクタンク１０の交換位置では、ヘッド固定レバー７が、外装１７によって規制され、引くことができないため、記録ヘッド１１の固定解除が行えないようになっている。したがって、キャリッジ部９がインクタンク交換モードの位置にいる場合、インクタンク１０の交換は行えるが、記録ヘッド１１は、着脱できないようになっている。一方、記録ヘッド１１の交換モードでは、図５ｂのようにヘッド固定レバー７が外装１７の規制を受けない位置にキャリッジ部９が移動する。この状態では、ヘッド固定レバー７を引くことができるため記録ヘッド１１の交換が行えるようになる。このような構成をとることで、インクタンク１０の交換時に誤って記録ヘッド１１まで取り外してしまうといった誤操作を防止することができる。
【００２２】
以上のように、本発明の実施形態によれば、キャリッジ部に接続されたケーブルが、装置前方の領域に配線されているような構成であっても、装置を大型化させることなく、装置の略前後方向に稼働するヘッド固定レバーを採用することができ、キャリッジ部上方の開口が不要となるため、装置の小型化と低コスト化が実現する。また、インクタンクの交換位置においては、記録ヘッドの取り外しが行えないような構成をとることで、記録ヘッドの不用意な着脱による偶発的な故障の発生を防止できる。
【００２３】
なお、本発明は、ここで説明した実施形態に限定されるものではい。記録ヘッドの数や配置構成などに関わらず適用可能である。また、装置前面に配置されたケーブルの固定部に関しても、ヘッド固定レバーを引けるだけの開放領域が存在すれば、固定部の配置は、装置内の左右どちらでも構わない。本発明における、インクジェット記録装置は、インクを吐出して記録を行う機構を持てば、プリンタ、複写機、ファクシミリといった単体の装置に限らず、これらを組み合わせた複合装置においても同様に適用可能である。
【符号の説明】
【００２４】
４ａ    回転式ヘッド固定レバー部の回転軸
７ａ    ヘッド固定レバー操作部
７ｂ    記録ヘッド固定部材持ち上げカム部
１４    記録ヘッド固定部材
１６    従来構成におけるガイドレール
１７    ヘッド固定レバーを規制する外装
【図１】
2014140987.tif 000003
【図２】
2014140987.tif 000004
【図３】
2014140987.tif 000005
【図４】
2014140987.tif 000006
【図５ａ】
2014140987.tif 000007
【図５ｂ】
2014140987.tif 000008